【手続補正書】
【提出日】平成27年7月10日(2015.7.10)
【手続補正１】
【補正対象書類名】明細書
【補正対象項目名】００１２
【補正方法】変更
【補正の内容】
【００１２】
上記の目的を達成するため、本発明による撮像装置は、複数の画素が２次元マトリックス状に配列された画素部を備え、前記複数の画素の各々が入射した光量に対して第１の感度を有する第１の画素と前記第１の感度よりも高い第２の感度を有する第２の画素とを有する撮像装置であって、前記画素部の各画素から読み出された画素信号にアナログデジタル変換処理を行って画像データを得る第１の信号処理手段および第２の信号処理手段と、前記画素信号を前記第１の信号処理手段および前記第２の信号処理手段に転送する複数の配線を有する配線層と、前記第１の画素から前記画素信号を読み出す際、前記配線層のうちの１つの配線によって当該画素信号を前記第１の信号処理手段に転送し、前記第２の画素から前記画素信号を読み出す際、前記配線層のうちの別の配線によって当該画素信号を前記第２の信号処理手段に転送する読み出し手段とを有し、前記撮像装置によって予め定められたダイナミックレンジで撮影を行う際には、前記第１の信号処理手段および前記第２の信号処理手段がともにオンとされ、前記撮像装置がオンされ撮影を行わない非記録動作状態においては、前記第２の信号処理手段がオフとされ、前記第１の信号処理手段がオンとされることを特徴とする。
また、本発明による撮像装置は、複数の画素が２次元マトリックス状に配列された画素部を備え、前記複数の画素の各々が入射した光量に対して第１の感度を有する第１の画素と前記第１の感度よりも高い第２の感度を有する第２の画素とを有する撮像装置であって、前記画素部の各画素から読み出された画素信号にアナログデジタル変換処理を行って画像データを得る第１の信号処理手段および第２の信号処理手段と、前記画素信号を前記第１の信号処理手段および前記第２の信号処理手段に転送する複数の配線を有する配線層と、前記第１の画素から前記画素信号を読み出す際、前記配線層のうちの１つの配線によって当該画素信号を前記第１の信号処理手段に転送し、前記第２の画素から前記画素信号を読み出す際、前記配線層のうちの別の配線によって当該画素信号を前記第２の信号処理手段に転送する読み出し手段とを有し、前記撮像装置における撮影が予め定められたダイナミックレンジの撮影であると、前記第１の信号処理手段および前記第２の信号処理手段がともにオンとされ、前記撮像装置における撮影が前記予め定められたダイナミックレンジ以外のダイナミックレンジの撮影であると、前記第２の信号処理手段がオフとされ、前記第１の信号処理手段がオンとされることを特徴とする。
【手続補正２】
【補正対象書類名】明細書
【補正対象項目名】００１３
【補正方法】変更
【補正の内容】
【００１３】
本発明による制御方法は、複数の画素が２次元マトリックス状に配列され、前記複数の画素の各々が入射した光量に対して第１の感度を有する第１の画素と前記第１の感度よりも高い第２の感度を有する第２の画素とを有する画素部と、前記画素部の各画素から読み出された画素信号にアナログデジタル変換処理を行って画像データを得る第１の信号処理手段および第２の信号処理手段と、前記画素信号を前記第１の信号処理手段および前記第２の信号処理手段に転送する複数の配線を有する配線層とを備える撮像装置の制御方法であって、前記第１の画素から前記画素信号を読み出す際、前記配線層のうちの１つの配線によって当該画素信号を前記第１の信号処理手段に転送する第１の読み出しステップと、前記第２の画素から前記画素信号を読み出す際、前記配線層のうちの別の配線によって当該画素信号を前記第２の信号処理手段に転送する第２の読み出しステップと、前記撮像装置によって予め定められたダイナミックレンジで撮影を行う際、前記第１の信号処理手段および前記第２の信号処理手段をともにオンとし、前記撮像装置がオンされ撮影を行わない非記録動作状態においては、前記第２の信号処理手段をオフとして、前記第１の信号処理手段がオンとする制御ステップとを有することを特徴とする。
また、本発明による制御方法は、複数の画素が２次元マトリックス状に配列され、前記複数の画素の各々が入射した光量に対して第１の感度を有する第１の画素と前記第１の感度よりも高い第２の感度を有する第２の画素とを有する画素部と、前記画素部の各画素から読み出された画素信号にアナログデジタル変換処理を行って画像データを得る第１の信号処理手段および第２の信号処理手段と、前記画素信号を前記第１の信号処理手段および前記第２の信号処理手段に転送する複数の配線を有する配線層とを備える撮像装置の制御方法であって、前記第１の画素から前記画素信号を読み出す際、前記配線層のうちの１つの配線によって当該画素信号を前記第１の信号処理手段に転送する第１の読み出しステップと、前記第２の画素から前記画素信号を読み出す際、前記配線層のうちの別の配線によって当該画素信号を前記第２の信号処理手段に転送する第２の読み出しステップと、前記撮像装置における撮影が予め定められたダイナミックレンジの撮影であると、前記第１の信号処理手段および前記第２の信号処理手段をともにオンとし、前記撮像装置における撮影が前記予め定められたダイナミックレンジ以外のダイナミックレンジの撮影であると、前記第２の信号処理手段をオフとして、前記第１の信号処理手段をオンとする制御ステップとを有することを特徴とする。
【手続補正３】
【補正対象書類名】明細書
【補正対象項目名】００１４
【補正方法】変更
【補正の内容】
【００１４】
本発明による制御プログラムは、複数の画素が２次元マトリックス状に配列され、前記複数の画素の各々が入射した光量に対して第１の感度を有する第１の画素と前記第１の感度よりも高い第２の感度を有する第２の画素とを有する画素部と、前記画素部の各画素から読み出された画素信号にアナログデジタル変換処理を行って画像データを得る第１の信号処理手段および第２の信号処理手段と、前記画素信号を前記第１の信号処理手段および前記第２の信号処理手段に転送する複数の配線を有する配線層とを備える撮像装置で用いられる制御プログラムであって、前記撮像装置が備えるコンピュータに、前記第１の画素から前記画素信号を読み出す際、前記配線層のうちの１つの配線によって当該画素信号を前記第１の信号処理手段に転送する第１の読み出しステップと、前記第２の画素から前記画素信号を読み出す際、前記配線層のうちの別の配線によって当該画素信号を前記第２の信号処理手段に転送する第２の読み出しステップと、前記撮像装置によって予め定められたダイナミックレンジで撮影を行う際、前記第１の信号処理手段および前記第２の信号処理手段をともにオンとし、前記撮像装置がオンされ撮影を行わない非記録動作状態においては、前記第２の信号処理手段をオフとして、前記第１の信号処理手段がオンとする制御ステップとを実行させることを特徴とする。
また、本発明による制御プログラムは、複数の画素が２次元マトリックス状に配列され、前記複数の画素の各々が入射した光量に対して第１の感度を有する第１の画素と前記第１の感度よりも高い第２の感度を有する第２の画素とを有する画素部と、前記画素部の各画素から読み出された画素信号にアナログデジタル変換処理を行って画像データを得る第１の信号処理手段および第２の信号処理手段と、前記画素信号を前記第１の信号処理手段および前記第２の信号処理手段に転送する複数の配線を有する配線層とを備える撮像装置で用いられる制御プログラムであって、前記撮像装置が備えるコンピュータに、前記第１の画素から前記画素信号を読み出す際、前記配線層のうちの１つの配線によって当該画素信号を前記第１の信号処理手段に転送する第１の読み出しステップと、前記第２の画素から前記画素信号を読み出す際、前記配線層のうちの別の配線によって当該画素信号を前記第２の信号処理手段に転送する第２の読み出しステップと、前記撮像装置における撮影が予め定められたダイナミックレンジの撮影であると、前記第１の信号処理手段および前記第２の信号処理手段をともにオンとし、前記撮像装置における撮影が前記予め定められたダイナミックレンジ以外のダイナミックレンジの撮影であると、前記第２の信号処理手段をオフとして、前記第１の信号処理手段をオンとする制御ステップとを実行させることを特徴とする。
【手続補正４】
【補正対象書類名】明細書
【補正対象項目名】０１１６
【補正方法】変更
【補正の内容】
【０１１６】
上述の説明から明らかなように、図１に示す例においては、列ＡＭＰ２３０、ランプ回路２４０、列ＡＤＣ２５０、水平転送回路２６０、信号処理回路２７０、および外部出力回路２８０が第１の信号処理手段として機能する。また、列ＡＭＰ１３０、ランプ回路１４０、列ＡＤＣ１５０、水平転送回路１６０、信号処理回路１７０、および外部出力回路１８０が第２の信号処理手段として機能する。そして、タイミング制御部１００および垂直走査回路１２０は読み出し手段として機能する。
【手続補正５】
【補正対象書類名】明細書
【補正対象項目名】０１１９
【補正方法】削除
【補正の内容】
【手続補正６】
【補正対象書類名】特許請求の範囲
【補正対象項目名】全文
【補正方法】変更
【補正の内容】
【特許請求の範囲】
【請求項１】
複数の画素が２次元マトリックス状に配列された画素部を備え、前記複数の画素の各々が入射した光量に対して第１の感度を有する第１の画素と前記第１の感度よりも高い第２の感度を有する第２の画素とを有する撮像装置であって、
前記画素部の各画素から読み出された画素信号にアナログデジタル変換処理を行って画像データを得る第１の信号処理手段および第２の信号処理手段と、
前記画素信号を前記第１の信号処理手段および前記第２の信号処理手段に転送する複数の配線を有する配線層と、
前記第１の画素から前記画素信号を読み出す際、前記配線層のうちの１つの配線によって当該画素信号を前記第１の信号処理手段に転送し、前記第２の画素から前記画素信号を読み出す際、前記配線層のうちの別の配線によって当該画素信号を前記第２の信号処理手段に転送する読み出し手段とを有し、
前記撮像装置によって予め定められたダイナミックレンジで撮影を行う際には、前記第１の信号処理手段および前記第２の信号処理手段がともにオンとされ、前記撮像装置がオンされ撮影を行わない非記録動作状態においては、前記第２の信号処理手段がオフとされ、前記第１の信号処理手段がオンとされることを特徴とする撮像装置。
【請求項２】
複数の画素が２次元マトリックス状に配列された画素部を備え、前記複数の画素の各々が入射した光量に対して第１の感度を有する第１の画素と前記第１の感度よりも高い第２の感度を有する第２の画素とを有する撮像装置であって、
前記画素部の各画素から読み出された画素信号にアナログデジタル変換処理を行って画像データを得る第１の信号処理手段および第２の信号処理手段と、
前記画素信号を前記第１の信号処理手段および前記第２の信号処理手段に転送する複数の配線を有する配線層と、
前記第１の画素から前記画素信号を読み出す際、前記配線層のうちの１つの配線によって当該画素信号を前記第１の信号処理手段に転送し、前記第２の画素から前記画素信号を読み出す際、前記配線層のうちの別の配線によって当該画素信号を前記第２の信号処理手段に転送する読み出し手段とを有し、
前記撮像装置における撮影が予め定められたダイナミックレンジの撮影であると、前記第１の信号処理手段および前記第２の信号処理手段がともにオンとされ、前記撮像装置における撮影が前記予め定められたダイナミックレンジ以外のダイナミックレンジの撮影であると、前記第２の信号処理手段がオフとされ、前記第１の信号処理手段がオンとされることを特徴とする撮像装置。
【請求項３】
前記第１の信号処理手段および前記第２の信号処理手段の各々によって前記アナログデジタル変換処理を行う際に供給されるクロック信号の周波数が互いに独立して制御されることを特徴とする請求項１又は２に記載の撮像装置。
【請求項４】
前記第１の信号処理手段および前記第２の信号処理手段は、前記画素部を挟むようにして基板に配置されていることを特徴とする請求項１〜３のいずれか１項に記載の撮像装置。
【請求項５】
複数の画素が２次元マトリックス状に配列され、前記複数の画素の各々が入射した光量に対して第１の感度を有する第１の画素と前記第１の感度よりも高い第２の感度を有する第２の画素とを有する画素部と、前記画素部の各画素から読み出された画素信号にアナログデジタル変換処理を行って画像データを得る第１の信号処理手段および第２の信号処理手段と、前記画素信号を前記第１の信号処理手段および前記第２の信号処理手段に転送する複数の配線を有する配線層とを備える撮像装置の制御方法であって、
前記第１の画素から前記画素信号を読み出す際、前記配線層のうちの１つの配線によって当該画素信号を前記第１の信号処理手段に転送する第１の読み出しステップと、
前記第２の画素から前記画素信号を読み出す際、前記配線層のうちの別の配線によって当該画素信号を前記第２の信号処理手段に転送する第２の読み出しステップと、
前記撮像装置によって予め定められたダイナミックレンジで撮影を行う際、前記第１の信号処理手段および前記第２の信号処理手段をともにオンとし、前記撮像装置がオンされ撮影を行わない非記録動作状態においては、前記第２の信号処理手段をオフとして、前記第１の信号処理手段がオンとする制御ステップとを有することを特徴とする制御方法。
【請求項６】
複数の画素が２次元マトリックス状に配列され、前記複数の画素の各々が入射した光量に対して第１の感度を有する第１の画素と前記第１の感度よりも高い第２の感度を有する第２の画素とを有する画素部と、前記画素部の各画素から読み出された画素信号にアナログデジタル変換処理を行って画像データを得る第１の信号処理手段および第２の信号処理手段と、前記画素信号を前記第１の信号処理手段および前記第２の信号処理手段に転送する複数の配線を有する配線層とを備える撮像装置の制御方法であって、
前記第１の画素から前記画素信号を読み出す際、前記配線層のうちの１つの配線によって当該画素信号を前記第１の信号処理手段に転送する第１の読み出しステップと、
前記第２の画素から前記画素信号を読み出す際、前記配線層のうちの別の配線によって当該画素信号を前記第２の信号処理手段に転送する第２の読み出しステップと、
前記撮像装置における撮影が予め定められたダイナミックレンジの撮影であると、前記第１の信号処理手段および前記第２の信号処理手段をともにオンとし、前記撮像装置における撮影が前記予め定められたダイナミックレンジ以外のダイナミックレンジの撮影であると、前記第２の信号処理手段をオフとして、前記第１の信号処理手段をオンとする制御ステップとを有することを特徴とする制御方法。
【請求項７】
複数の画素が２次元マトリックス状に配列され、前記複数の画素の各々が入射した光量に対して第１の感度を有する第１の画素と前記第１の感度よりも高い第２の感度を有する第２の画素とを有する画素部と、前記画素部の各画素から読み出された画素信号にアナログデジタル変換処理を行って画像データを得る第１の信号処理手段および第２の信号処理手段と、前記画素信号を前記第１の信号処理手段および前記第２の信号処理手段に転送する複数の配線を有する配線層とを備える撮像装置で用いられる制御プログラムであって、
前記撮像装置が備えるコンピュータに、
前記第１の画素から前記画素信号を読み出す際、前記配線層のうちの１つの配線によって当該画素信号を前記第１の信号処理手段に転送する第１の読み出しステップと、
前記第２の画素から前記画素信号を読み出す際、前記配線層のうちの別の配線によって当該画素信号を前記第２の信号処理手段に転送する第２の読み出しステップと、
前記撮像装置によって予め定められたダイナミックレンジで撮影を行う際、前記第１の信号処理手段および前記第２の信号処理手段をともにオンとし、前記撮像装置がオンされ撮影を行わない非記録動作状態においては、前記第２の信号処理手段をオフとして、前記第１の信号処理手段がオンとする制御ステップとを実行させることを特徴とする制御プログラム。
【請求項８】
複数の画素が２次元マトリックス状に配列され、前記複数の画素の各々が入射した光量に対して第１の感度を有する第１の画素と前記第１の感度よりも高い第２の感度を有する第２の画素とを有する画素部と、前記画素部の各画素から読み出された画素信号にアナログデジタル変換処理を行って画像データを得る第１の信号処理手段および第２の信号処理手段と、前記画素信号を前記第１の信号処理手段および前記第２の信号処理手段に転送する複数の配線を有する配線層とを備える撮像装置で用いられる制御プログラムであって、
前記撮像装置が備えるコンピュータに、
前記第１の画素から前記画素信号を読み出す際、前記配線層のうちの１つの配線によって当該画素信号を前記第１の信号処理手段に転送する第１の読み出しステップと、
前記第２の画素から前記画素信号を読み出す際、前記配線層のうちの別の配線によって当該画素信号を前記第２の信号処理手段に転送する第２の読み出しステップと、
前記撮像装置における撮影が予め定められたダイナミックレンジの撮影であると、前記第１の信号処理手段および前記第２の信号処理手段をともにオンとし、前記撮像装置における撮影が前記予め定められたダイナミックレンジ以外のダイナミックレンジの撮影であると、前記第２の信号処理手段をオフとして、前記第１の信号処理手段をオンとする制御ステップとを実行させることを特徴とする制御プログラム。